(57)【特許請求の範囲】
【請求項１】
トイレルーム内の空気を吸引する送風部と、
前記送風部によって吸引された前記空気が通過する脱臭フィルターと、
前記脱臭フィルターに水を供給する噴霧部と、
前記送風部を間欠駆動させる制御を実行する制御部と、
を備え、
前記制御部は、使用者が前記トイレルームに入室すると予測される、使用者が過去に前記トイレルームに入室した頻度が所定頻度よりも高い入室時間帯より第１所定時間前に、前記送風部を駆動させる制御を実行することを特徴とする衛生洗浄装置。
【請求項２】
前記噴霧部から供給される水は、水を電気分解することで生成される機能水であることを特徴とする請求項１に記載の衛生洗浄装置。
【請求項３】
前記制御部は、前記入室時間帯以外の時間帯である非入室時間帯で、且つ、前記入室時間帯より前記所定時間前から前記入室時間帯までの時間以外の時間帯に、前記送風部の駆動を停止させる制御を実行することを特徴とする請求項１又は２に記載の衛生洗浄装置。
【請求項４】
前記トイレルーム内の使用者を検知する検知手段をさらに備え、
前記制御部は、前記非入室時間帯に、前記検知手段が前記トイレルーム内の使用者を検知したとき、前記送風部を駆動させる制御を実行することを特徴とする請求項３に記載の衛生洗浄装置。  
【請求項５】
前記検知手段が前記非入室時間帯において前記トイレルーム内の使用者を検知したときに前記送風部から吸引される空気の量は、前記入室時間帯より所定時間前に前記送風部から吸引される空気の量よりも多いことを特徴とする請求項４に記載の衛生洗浄装置。
【請求項６】
前記制御部は、前記非入室時間帯に、前記検知手段が前記トイレルーム内の使用者を検知しなくなってから第２所定時間が経過した後、前記送風部の駆動を停止させる制御を実行することを特徴とする請求項４又は５に記載の衛生洗浄装置。
【請求項７】
前記制御部は、前記非入室時間帯に、前記検知手段が前記トイレルーム内の使用者を検知してから、前記検知手段が前記トイレルーム内の使用者を検知しなくなったとき、前記送風部の駆動を停止させる制御を実行することを特徴とする請求項４又は５に記載の衛生洗浄装置。
【発明の詳細な説明】
【技術分野】
【０００１】
本発明の態様は、トイレルームに設置される衛生洗浄装置に関する。
【背景技術】
【０００２】
近年、便器内の空気を洗浄するために、脱臭機能を備えた衛生洗浄装置が普及している。
【０００３】
特許文献１では、便器内の臭気を吸引する吸気装置を備えた水洗トイレの脱臭殺菌装置が記載されている。便器内の臭気は、臭気通路を通って吸引される。この臭気通路には、電解水、即ち殺菌水が含浸されたフィルターが設けられている。臭気がフィルターを通過するときに、悪臭成分は、含浸させた殺菌水によって吸収又は分解される。フィルターに吸着された悪臭成分を殺菌水により吸収又は分解した後は、新たな殺菌水がフィルターに供給され、フィルターを洗浄する。
【先行技術文献】
【特許文献】
【０００４】
【特許文献１】特開２０００−１２９７４７号公報
【発明の概要】
【発明が解決しようとする課題】
【０００５】
しかしながら、特許文献１に記載された水洗トイレの脱臭殺菌装置は、便器内の悪臭成分を捕集又は分解する一方で、トイレルーム内に常在する臭気を吸収又は分解するわけではない。よって、使用者は、トイレルームに入室する度に、トイレルーム内に常在する臭気を吸うことになるため、不快感を感じるという問題がある。
【０００６】
本発明は、かかる課題の認識に基づいてなされたものであり、使用者が、トイレルーム内に常在する臭気を吸うことで、不快感を感じることを抑制することができる衛生洗浄装置を提供することを目的とする。
【課題を解決するための手段】
【０００７】
第１の発明は、トイレルーム内の空気を吸引する送風部と、前記送風部によって吸引された前記空気が通過する脱臭フィルターと、前記脱臭フィルターに水を供給する噴霧部と、前記送風部を間欠駆動させる制御を実行する制御部と、を備え、前記制御部は、使用者が前記トイレルームに入室すると予測される、使用者が過去に前記トイレルームに入室した頻度が所定頻度よりも高い入室時間帯より第１所定時間前に、前記送風部を駆動させる制御を実行することを特徴とする衛生洗浄装置である。
この衛生洗浄装置によれば、送風部によって吸引された空気に含まれた悪臭成分を、噴霧部によって水が供給された脱臭フィルターによって捕集することができる。したがって、使用者が、トイレルーム内に常在する臭気を吸うことで、不快感を感じることを抑制することができる。
また、この衛生洗浄装置によれば、制御部は、使用者がトイレルームに入室すると予測される時間帯より第１所定時間前に、送風部を駆動させる動作を実行する。そのため、使用者がトイレルームに入室する前に、トイレルーム内に常在する臭気を取り除くことができる。したがって、使用者が、トイレルーム内に常在する臭気を吸うことで、不快感を感じることを抑制することができる。
【０００８】
第２の発明は、第１の発明において、前記噴霧部から供給される水は、水を電気分解することで生成される機能水であることを特徴とする衛生洗浄装置である。
この衛生洗浄装置によれば、噴霧部によって脱臭フィルターに供給された機能水が、送風部によって送風されたトイレルーム内の空気に含まれる悪臭成分を、捕集及び分解することできる。したがって、使用者が、トイレルーム内に常在する臭気を吸うことで、不快感を感じることをさらに抑制することができる。
【０００９】
第３の発明は、第１又は２の発明において、前記制御部は、前記入室時間帯以外の時間帯である非入室時間帯で、且つ、前記入室時間帯より前記所定時間前から前記入室時間帯までの時間以外の時間帯に、前記送風部の駆動を停止させる制御を実行することを特徴とする衛生洗浄装置である。
この衛生洗浄装置によれば、制御部は、非入室時間帯で、且つ、入室時間帯より所定時間前から入室時間帯までの時間以外の時間帯に、送風部を駆動を停止させる制御を実行する。このように、トイレルーム内の脱臭する必要がない時間帯に送風部の駆動を停止させることで、吐水部によって水が供給された脱臭フィルターを通過した空気が排出されることで生じる、トイレルーム内の湿度の上昇を、抑制することができる。
【００１０】
第４の発明は、第３の発明において、前記トイレルーム内の使用者を検知する検知手段をさらに備え、前記制御部は、前記非入室時間帯に、前記検知手段が前記トイレルーム内の使用者を検知したとき、前記送風部を駆動させる制御を実行することを特徴とする衛生洗浄装置である。
この衛生洗浄装置によれば、制御部は、非入室時間帯に、検知手段がトイレルーム内の使用者を検知したとき、送風部を駆動させる制御を実行する。したがって、使用者が、トイレルーム内に常在する臭気を吸うことで、不快感を感じることをさらに抑制することができる。
【００１１】
第５の発明は、第４の発明において、前記検知手段が前記非入室時間帯において前記トイレルーム内の使用者を検知したときに前記送風部から吸引される空気の量は、前記入室時間帯より所定時間前に前記送風部から吸引される空気の量よりも多いことを特徴とする衛生洗浄装置である。
この衛生洗浄装置によれば、検知手段が非入室時間帯においてトイレルーム内の使用者を検知したときに送風部から吸引される空気の量は、入室時間帯より所定時間前に送風部から吸引される空気の量よりも多い。そのため、検知手段がトイレルーム内の使用者を検知したときには、入室時間帯より所定時間前に行われる脱臭動作より、素早く脱臭動作を行うことができる。したがって、使用者が、トイレルーム内に常在する臭気を吸うことで、不快感を感じることをさらに抑制することができる。
【００１２】
第６の発明は、第４又は５の発明において、前記制御部は、前記非入室時間帯に、前記検知手段が前記トイレルーム内の使用者を検知しなくなってから第２所定時間が経過した後、前記送風部の駆動を停止させる制御を実行することを特徴とする衛生洗浄装置である。
この衛生洗浄装置によれば、制御部は、非入室時間帯に、前検知手段がトイレルーム内の使用者を検知してから第２所定時間経過後、送風部の駆動を停止させる制御を実行する。このように、トイレルーム内の脱臭する必要がない時間帯に送風部を駆動を停止させることで、吐水部によって水が供給された脱臭フィルターを通過した空気が排出されることで生じる、トイレルーム内の湿度の上昇を、抑制することができる。
【００１３】
第７の発明は、第４又は５の発明において、前記制御部は、前記非入室時間帯に、前記検知手段が前記トイレルーム内の使用者を検知してから、前記検知手段が前記トイレルーム内の使用者を検知しなくなったとき、前記送風部の駆動を停止させる制御を実行することを特徴とする衛生洗浄装置である。  
この衛生洗浄装置によれば、制御部は、非入室時間帯に、検知手段がトイレルーム内の使用者を検知してから、検知手段がトイレルーム内の使用者を検知しなくなったとき、送風部の駆動を停止させる。このように、トイレルーム内の脱臭する必要がない時間帯に送風部を駆動を停止させることで、吐水部によって水が供給された脱臭フィルターを通過した空気が排出されることで生じる、トイレルーム内の湿度の上昇を、抑制することができる。
【発明の効果】
【００１４】
本発明の態様によれば、使用者が、トイレルーム内に常在する臭気を吸うことで、不快感を感じることを抑制することができる衛生洗浄装置が提供される。
【図面の簡単な説明】
【００１５】
【図１】本発明の一実施形態に係る衛生洗浄装置が設置されたトイレルームを示す模式的斜視図である。
【図２】図１の衛生洗浄装置を示す模式的斜視図である。
【図３】本発明の一実施形態に係る洗浄水供給装置及び脱臭装置を示すブロック図である。
【図４】図２の衛生洗浄装置に設けられた脱臭装置を示す模式的斜視図である。
【図５】図４の脱臭装置を示す模式的平面図である。
【図６】図４の脱臭装置を示す模式的正面図である。
【図７】図４の脱臭装置を示す模式的側面図である。
【図８】図１の衛生洗浄装置の内部を表す模式的平面図である。
【図９】本発明の他の実施形態に係る衛生洗浄装置を示す模式的斜視図である。
【図１０】図９の衛生洗浄装置に設けられた脱臭装置及び第１羽板を示す模式的斜視図である。
【図１１】本発明の他の実施形態に係る衛生洗浄装置を示す模式的上面図である。
【図１２】本発明の一実施形態に係る脱臭装置の脱臭動作におけるタイミングチャートである。
【図１３】本発明の一実施形態に係る脱臭装置の脱臭動作における他のタイミングチャートである。
【発明を実施するための形態】
【００１６】
以下、本発明の実施の形態について図面を参照しつつ説明する。なお、各図面中、同様の構成要素には同一の符号を付して詳細な説明は適宜省略する。  
【００１７】
（衛生洗浄装置１及びそれを備えた大便器２について）
図１は、本発明の一実施形態に係る衛生洗浄装置が設置されたトイレルームを示す模式的斜視図である。  
図２は、図１の衛生洗浄装置を示す模式的斜視図である。  
なお、図１及び図２では、衛生洗浄装置は、大便器に設けられている。  
まず、図１及び図２を用いて、本発明の一実施形態に係る衛生洗浄装置１について説明する。
【００１８】
図１に示すように、トイレルーム１００には水洗式の大便器２が設置されている。大便器２には、便座（図示せず）と、便蓋４と、機能部６と、を備えた衛生洗浄装置１が載置されている。
【００１９】
図２に示すように、機能部６は、ケースプレート８と、ケースカバー１０と、洗浄水供給装置１２（図３に記載）と、人体検知センサ１３と、洗浄ノズル１４と、脱臭装置１６と、制御部１８と、を有する。ケースプレート８は、大便器２の正面（前方）からみて、大便器２に設けられたボウル部２０より後方に載置されている。ケースプレート８には、洗浄水供給装置１２と、洗浄ノズル１４と、脱臭装置１６と、制御部１８と、が載置されている。ケースカバー１０は、洗浄水供給装置１２と、洗浄ノズル１４と、脱臭装置１６と、制御部１８と、を覆うように、ケースプレート８と固定される。
【００２０】
ケースカバー１０は、内部に発光ダイオード（ＬＥＤ：Light Emitting Diode）が設置された導光板１９を有している。導光板１９は、後述する排気口部２２の内部に設けられている。この導光板１９の役割については、後に詳述する。
【００２１】
人体検知センサ１３は、例えば赤外線信号を利用した焦電センサであり、トイレルーム１００に入室した入室者を検知する。人体検知センサ１３は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ１３として用いた場合には、トイレルーム１００のドア越しに使用者の存在を検知することが可能となる。つまり、トイレルーム１００に入室する前の使用者を検知することができる。この人体検知センサ１３の役割については、後に詳述する。
【００２２】
洗浄ノズル１４は、ボウル部２０に向かって進出可能に設けられている。この洗浄ノズル１４については、後に詳述する。
【００２３】
脱臭装置１６は、大便器２の正面からみて、ケースプレート８の後方左側に設置されている。図２に表した矢印Ａ１のように、脱臭装置１６は、大便器２の正面からみて、ケースカバー１０の後方面（背面）に設けられた吸気口部２１から、トイレルーム１００内の空気を吸い込む。吸気口部２１から吸い込まれた空気に含まれる悪臭成分は、脱臭装置１６によって捕集又は分解される。なお、本発明の一実施形態における「悪臭成分」は、アンモニア成分を含む。この悪臭成分は、尿がトイレルーム１００の床や壁などに付着してしまった際に、付着面から発生するものである。図２に表した矢印Ａ２のように、脱臭装置１６によって悪臭成分が捕集又は分解された空気は、大便器２の正面からみて、ケースカバー１０の左側に設けられた排気口部２２から、トイレルーム１００へ吐き出される。この脱臭装置１６については、後に詳述する。また、排気口部２２は、ケースカバー１０の側面に設けられているため、大便器２の正面からみて、ケースカバー１０の前方へ空気を排出することがない。したがって、使用者に直接、排気口部２２からの空気が当たることを抑制でき、使い勝手の良い衛生洗浄装置１を提供できる。なお、吸気口部２１及び排気口部２２の設置形態は、図２に表した例には限定されない。例えば、吸気口部２１は、ケースカバー１０の側面に設けられていてもよい。
【００２４】
制御部１８は、ＩＣ素子を含んだ制御回路であり、洗浄水供給装置１２、人体検知センサ１３、洗浄ノズル１４、脱臭装置１６、及び導光板１９の、それぞれの動作を電気的に制御する。制御部１８は、例えば、ファン４６（図３参照）を間欠駆動させる制御を実行する。この詳細については、後述する。この制御部１８は、金属製の筺体としての制御部カバー（図示せず）によって覆われている。
【００２５】
（洗浄水供給装置１２及び脱臭装置１６による脱臭動作について）
図３は、本発明の一実施形態に係る洗浄水供給装置及び脱臭装置を示すブロック図である。  
図４は、図２の衛生洗浄装置に設けられた脱臭装置を示す模式的斜視図である。  
図５は、図４の脱臭装置を示す模式的平面図である。  
図６は、図４の脱臭装置を示す模式的正面図である。  
図７は、図４の脱臭装置を示す模式的側面図である。  
なお、図５は、本実施形態の脱臭装置を図４に表した矢印Ａ５の方向にみたときの模式的平面図である。図６は、本実施形態の脱臭装置を図４に表した矢印Ａ６の方向にみたときの模式的平面図である。図７は、本実施形態の脱臭装置を図４に表した矢印Ａ７の方向にみたときの模式的平面図である。  
図３〜７を用いて、本発明の一実施形態に係る洗浄水供給装置１２及び脱臭装置１６について説明する。
【００２６】
図３に示すように、洗浄水供給装置１２は、流路開閉弁２４と、瞬間加熱式の熱交換器２６と、電解槽２８と、大気解放式のバキュームブレーカー３０と、洗浄ノズル１４へ通じる第１流路３２と、脱臭装置１６へ通じる第２流路３４と、電磁ポンプ３６と、流調・流路切替弁３８と、を有する。なお、洗浄水供給装置１２は、必ずしも熱交換器２６を有していなくともよい。外部から供給された水は、流路開閉弁２４が開いたときに、熱交換器２６を通って、電解槽２８へ送られる。電解槽２８の内部には、２つの電極（図示せず）が設けられている。電解槽２８へ送られてきた水は、電解槽２８の内部において電気分解される。外部から供給されてきた水には、塩素（Ｃｌ２）が含まれているため、水が電気分解されると、以下のような式の反応が起こる。
Ｃｌ２＋Ｈ２Ｏ  →  ＨＣｌＯ＋Ｈ＋＋Ｃｌ−    ・・・（１）
（１）式に示すように、電解槽２８によって電気分解された水は、次亜塩素酸（ＨＣｌＯ）を含んだ洗浄水（以下、「機能水」とする）となる。
【００２７】
電解槽２８によって生成された機能水は、第１流路３２又は第２流路３４へ流れる。第１流路３２へ流れた機能水は、電磁ポンプ３６によって、洗浄ノズル１４へ送られる。洗浄ノズル１４は、吐水部１５（第２吐水部）を有する。例えば、吐水部１５は、おしり洗浄吐水孔１５ａと、おしりソフト吐水孔１５ｂと、ビデ洗浄吐水孔１５ｃと、ワイドビデ洗浄吐水孔１５ｄと、を有する。但し、吐水部１５が有する吐水孔は、これだけには限定されない。洗浄ノズル１４へ送られた機能水は、吐水部１５から上方に向かって吐出される。吐水部１５から吐出された機能水は、大便器２の使用者の局部洗浄などに用いられる。また、電磁ポンプ３６と洗浄ノズル１４との間には、流調・流路切替弁３８が設けられている。この流調・流路切替弁３８を動作させることで、洗浄ノズル１４から吐出する機能水の、吐水流量、吐水角度、吐水範囲などを変更できる。また、流調・流路切替弁３８を動作させることで、機能水をノズル洗浄室（胴体洗浄部）４０に送ることができる。ノズル洗浄室４０は、吐水部４１（第２吐水部）を有する。ノズル洗浄室４０は、吐水部４１から機能水が吐出することで、洗浄ノズル１４の外面の洗浄、即ち胴体洗浄を行う。第２流路３４へ流れた機能水は、脱臭装置１６へ送られる。
【００２８】
図３〜７に示すように、脱臭装置１６は、集塵フィルター４４と、ファン（送風部）４６と、脱臭フィルター４８と、噴霧部（第１吐水部）５０と、水受け部５２と、を有している。水受け部５２は、吸気口４２と、排気口５４と、を有する。吸気口４２は、吸気口部２１に設置されている。排気口５４は、排気口部２２に設置されている。ファン４６は、例えば樹脂製のシロッコファンである。ファン４６は、内部に設けられた複数の羽が回転することで、吸気口４２からトイレルーム１００内の空気を吸い込み、排気口５４からトイレルーム１００へ、吸い込んだ空気を吐き出す。なお、ファン４６は、シロッコファンには限定されない。
【００２９】
集塵フィルター４４は、吸気口４２の部分に設置されている。この集塵フィルター４４は、吸い込まれる空気の中の塵や埃などが、ファン４６へ送られることを防ぐ。脱臭フィルター４８は、例えば編目形状のステンレス製の部材である。後述するように、噴霧部５０によって、機能水が脱臭フィルター４８に噴霧される。この脱臭フィルター４８は、ファン４６と排気口５４との間、即ちファン４６の下流側に設けられている。言い換えれば、ファン４６は、噴霧部５０によって機能水が噴霧された脱臭フィルター４８よりも上流側に設置される。そのため、湿気を含んだ空気が脱臭フィルター４８から電気機器のファン４６へ送られることがない。よって、湿気により、ファン４６が故障することを防ぐことができる。また、ファン４６から排出された空気は、脱臭フィルター４８を通過する。そのため、ファン４６が作動する前に衛生洗浄装置１の内部に溜まった空気は、必ず脱臭フィルター４８を通過し、悪臭成分が捕集された後にトイレルーム１００へ排出されることとなる。よって、ファン４６を作動させた際に、衛生洗浄装置１の内部に溜まった空気が悪臭成分を捕集又は分解されずにトイレルーム１００へ排出されることを防ぐことができる。さらに、脱臭フィルター４８は、使用者の操作によって、排気口５４から自由に取り出し可能とされている。このことより、脱臭フィルター４８の清掃性が向上する。噴霧部５０は、電磁弁を有し、脱臭フィルター４８より上方に位置する。一方、第２流路３４へ流れた機能水は、噴霧部５０へ送られる。
【００３０】
図７に示すように、噴霧部５０が制御部１８によって開弁動作したとき、脱臭フィルター４８の上方から、脱臭フィルター４８に向けて、約５秒間程度、機能水が噴霧される。機能水は、噴霧部５０を頂点に円錐状に、広がりながら噴霧される。このときの、噴霧される機能水の広がり角度θは、約１１０度程度である。また、ファン４６と噴霧部５０との間において、脱臭装置１６の上面内壁には、下方に向かって突出している立壁部６４が設けられている。この立壁部６４によって、電気機器であるファン４６に、噴霧部５０から噴霧された機能水が飛び散ってしまうことを防ぐことができる。
【００３１】
脱臭フィルター４８に向けて機能水が噴霧されると、脱臭フィルター４８は機能水を保水する。その際に、ファン４６を作動させ、吸気口４２から吸引されたトイレルーム１００内の空気が、脱臭フィルター４８内を通過すると、空気の中に含まれる悪臭成分が機能水に取り込まれる。機能水に取り込まれた悪臭成分は、機能水に含まれる次亜塩素酸によって、以下の式のように分解される。
ＨＣｌＯ＋ＮＨ３  →  ＮＨ２Ｃｌ＋Ｈ２Ｏ    ・・・（２）
（２）式に示すように、アンモニア（ＮＨ３）は、次亜塩素酸（ＨＣｌＯ）と反応することで、モノクロラミン（ＮＨ２Ｃｌ）と水（Ｈ２Ｏ）に変わる。モノクロラミンの臭いは、塩素と同じカルキ臭である。この臭いによって、使用者は清潔感を感じることができる。また、分解されずに残った悪臭成分も、機能水内に捕集されるため、空気へ戻ることはない。その結果、脱臭フィルター４８内を通過した空気は、悪臭成分が取り除かれる。悪臭成分が取り除かれた空気は、排気口５４からトイレルーム１００へ排出される。このように、脱臭装置１６は、トイレルーム１００内に常在する悪臭成分を捕集又は分解することができる。よって、使用者は、トイレルーム１００に入室する度に、トイレルーム１００内に常在する悪臭成分による臭気を吸うことがなくなり、快適にトイレを利用できる。
図１及び図２に関して前述したように、実施形態の悪臭成分の発生源は、トイレルーム１００の床や壁などに付着した尿であり、大便器２のボウル部２０の悪臭成分の発生源とは異なる。そのため、脱臭装置１６の吸気口４２がケースカバー１０の側面または後方面に設けられた吸気口部２１に設置されると、脱臭装置１６は、脱臭を行いやすい。
【００３２】
図６に示すように、ファン４６から排出された空気は、脱臭フィルター４８の上方から下方に向かって、脱臭フィルター４８を通過する。このことより、脱臭フィルター４８の中に溜まったスケールや塵などの滞留物を、ファン４６から排出された空気、及び、滞留物自身の重さによって、水受け部５２に払い落とすことができるため、脱臭フィルター４８に滞留物が溜まりにくくなる。
【００３３】
本発明の一実施形態において、脱臭フィルター４８の最大保水量は約１０グラム（ｇ）程度である。一方、この脱臭フィルター４８を洗浄する際には、噴霧部５０は、脱臭フィルター４８に向けて、機能水を約１００ｇ程度噴霧する。つまり、噴霧部５０は、脱臭フィルター４８の最大保水量よりも多い水を噴霧することで、脱臭フィルター４８を洗浄することができる。このことにより、機能水の噴霧より前に、脱臭フィルター４８に保水された機能水が捕集した悪臭成分を、洗い流すことができる。洗い流しに利用した機能水は、脱臭フィルター４８より下方に位置する水受け部５２に流れる。
【００３４】
図６に示すように、水受け部５２は、ケースプレート８に向かって開口している排水口５６を有している。水受け部５２の底面は、排水口５６に向かって傾斜している。このことにより、図６に表した矢印Ａ１１のように、水受け部５２へ流れた機能水は、水受け部５２の底面に溜まることなく、排水口５６に向かって流れることとなる。  
一方で、図６に表した矢印Ａ１３のように、悪臭成分を取り除かれ脱臭フィルター４８を通過した空気は、排気口５４から排出される。
【００３５】
図８は、図１の衛生洗浄装置の内部を表す模式的平面図である。
図８を用いて、本発明の一実施形態に係る洗浄水供給装置１２及び脱臭装置１６についてさらに説明する。
【００３６】
図８に示すように、ケースプレート８は、その上面に、上方へ向かって突設したリブ５８が設けられた排出流路６０を有する。排出流路６０は、ノズル洗浄室４０が設置される位置に隣接するように設けられたボウル部排出用口６２を有している。ボウル部排出用孔６２は、ケースプレート８の前方部に設けられている。リブ５８は、排水口５６から排出された機能水を、ボウル部排出用孔６２へ導くように、線状に設けられている。
【００３７】
排出流路６０は、前方に向かって下方へ傾斜している。このことにより、図８に表した矢印Ａ２１〜矢印２７のように、排水口５６から排出された機能水は、重力に従って、前方に向かって排出流路６０を流れやすくなる。よって、より容易に、排水口５６から排出された機能水を、ボウル部排出用孔６２へ導くことができる。
【００３８】
ボウル部排出用孔６２へ導かれた機能水は、大便器２のボウル部２０へ排出される。このことにより、脱臭フィルター４８の洗浄に利用した機能水であって、悪臭成分が捕集された機能水は、水による洗浄が頻繁に行われるボウル部２０へ排出される。よって、機能水が付着した部位が乾いて臭いが発生することがなく、使用者が不快感を感じることを防ぐことができる。
【００３９】
ボウル部排出用孔６２は、ノズル洗浄室４０を設置する位置に隣接している。よって、ノズル洗浄室４０が洗浄ノズル１４の胴体洗浄を行った際に、洗浄ノズル１４の胴体洗浄に利用した機能水は、排出流路６０の一部を流れボウル部排出用孔６２からボウル部２０へ排出される。つまり、洗浄ノズル１４の胴体洗浄に利用した機能水は、水受け部５２の排水口５６から排出された機能水が流れる排出流路６０の一部を流れる。その結果、排出流路６０の一部及びボウル部排出用孔６２は、洗浄ノズル１４の胴体洗浄を行った水により洗浄される。これにより、悪臭成分を捕集した機能水が乾いた後に排出流路６０及びボウル部排出用孔６２から臭いが発生することを防ぐことができ、使用者が不快感を感じることを防ぐことができる。
【００４０】
また、洗浄ノズル１４は、ケースプレート８とケースカバー１０との間の空間に収納された状態において、吐水部１５が有する全ての吐水孔から機能水を吐出することにより吐水部１５の部分を洗浄することができる（セルフクリーニング）。このとき、洗浄ノズル１４の吐水部１５の部分は、ノズル洗浄室４０の中に収容されている。そのため、吐水部１５から吐出された機能水は、ノズル洗浄室４０の内壁で反射して吐水部１５の部分にかかる。これにより、吐水部１５の部分は、ノズル洗浄室４０の内壁で反射した機能水によっても洗浄される。
【００４１】
セルフクリーニングに利用された機能水は、排出流路６０の一部を流れ、ボウル部排出用孔６２からボウル部２０へ排出される。つまり、セルフクリーニングに利用された機能水は、水受け部５２の排水口５６から排出された機能水が流れる排出流路６０の一部を流れる。その結果、排出流路６０の一部及びボウル部排出用孔６２は、セルフクリーニングを行った水により洗浄される。これにより、悪臭成分を捕集した機能水が乾いた後に排出流路６０及びボウル部排出用孔６２から臭いが発生することを防ぐことができ、使用者が不快感を感じることを防ぐことができる。
【００４２】
また、ボウル部排出用孔６２は、ノズル洗浄室４０を設置する位置に隣接しているため、脱臭フィルター４８の洗浄に用いた機能水のボウル部２０への排出位置は、セルフクリーニング及び洗浄ノズル１４の胴体洗浄に用いた機能水のボウル部２０への排出位置と隣接する。このことにより、脱臭フィルター４８の洗浄に用いた機能水がボウル部２０に排出された際に、使用者が、衛生洗浄装置１の故障だと認識してしまうことを防ぐことができる。
【００４３】
（本発明の他の実施形態に係る衛生洗浄装置１Ａ及び１Ｂについて）
図９は、本発明の他の実施形態に係る衛生洗浄装置を示す模式的斜視図である。
図１０は、図９の衛生洗浄装置に設けられた脱臭装置及び第１羽板を示す模式的斜視図である。
図１１は、本発明の他の実施形態に係る衛生洗浄装置を示す模式的上面図である。
なお、図９（ａ）は、本発明の他の実施形態に係る衛生洗浄装置の全体を示す模式的斜視図である。図９（ｂ）は、図９（ａ）に表した領域Ａ４１を拡大した模式的斜視図である。  
図９〜１１を用いて、本発明の他の実施形態に係る衛生洗浄装置１Ａ及び１Ｂについて説明する。
なお、本発明の一実施形態において説明した部材と同じ符号を有する部材、又は、本発明の一実施形態において説明した部材と同じ名称を有する部材は、対応する本発明の一実施形態において説明した部材と同じ機能を有するものであるとし、重複する説明は省略する。
【００４４】
図９（ａ）に示すように、本発明の他の実施形態に係る衛生洗浄装置１Ａにおいて、吸気口部２１Ａ及び排気口部２２Ａは、大便器２の正面からみて、ケースカバー１０Ａの左側に設けられている。即ち図９に表した矢印Ａ２８のように、機能部６Ａの脱臭装置１６Ａは、大便器２の正面からみて、ケースカバー１０Ａの左側に設けられた吸気口部２１Ａに設置された吸気口４２Ａから、トイレルーム１００内の空気を吸い込む。吸気口４２Ａから吸い込まれた空気に含まれる悪臭成分は、脱臭装置１６によって捕集又は分解される。図９に表した矢印Ａ２９のように、脱臭装置１６Ａによって悪臭成分が捕集又は分解された空気は、大便器２の正面からみて、ケースカバー１０Ａの左側に設けられた排気口部２２Ａに設置された排気口５４Ａから、トイレルーム１００へ吐き出される。
【００４５】
このように、本発明の他の実施形態に係る衛生洗浄装置１Ａにおいて、吸気口部２１Ａ及び排気口部２２Ａは、ケースカバー１０Ａの同一面に設けられている。そのため、吸気口部２１Ａは、排気口部２２Ａから排出された空気を、再び吸引しやすい。したがって、吸気口部２１Ａは、ファン４６によって送風されたものの、脱臭装置１６Ａによって捕集又は分解されなかった悪臭成分を含んだ空気を、再び吸引することができる。よって、部分的に滞留した臭気に含まれる悪臭成分を、集中的に捕集又は分解することができる。
【００４６】
また、吸気口部２１Ａ及び排気口部２２Ａは、ケースカバー１０Ａの側面に設けられており、排気口部２２Ａは、吸気口部２１Ａより前方側に設けられている。そのため、排気口部２２Ａは、悪臭成分が捕集又は分解された空気を、ケースカバー１０Ａにおける吸気口部２１Ａより前方側から排出することができる。したがって、使用者は、悪臭成分が捕集又は分解された空気を吸いやすくなり、使用者が、不快感を感じることをより抑制することができる。
【００４７】
図９（ｂ）に示すように、吸気口部２１Ａは、複数の羽状の部材が下方に向けて傾斜している第１羽板６８Ａを有している。吸気口部２１Ａは、第１羽板６８Ａによって、トイレルーム１００の下方に滞留した空気に含まれる悪臭成分を、効率良く吸引することができる。また、第１羽板６８Ａによって、例えばケースカバー１０Ａの清掃時にケースカバー１０Ａの上方から流れた水が、吸気口部２１Ａの内部に浸入することを抑制することができる。
【００４８】
排気口部２２Ａは、複数の羽状の部材が下方に向けて傾斜している第２羽板７０Ａを有している。排気口部２２Ａから排出された空気は、第２羽板７０Ａによって排気口部２２Ａの下方に移動し、トイレルーム１００の下方に滞留した空気を撹拌させることができる。撹拌された空気は、トイレルーム１００の上方へ移動するため、吸気口部２１Ａから吸引しやすくなる。したがって、脱臭フィルター４８は、トイレルーム１００内の空気に含まれる悪臭成分を、効率良く捕集又は分解することができる。また、トイレルーム１００の天井に換気扇（図示せず）が設けられている場合において、第２羽板７０Ａによって排気口部２２Ａの下方に移動した空気により攪拌された空気であって、トイレルーム１００の下方から上方へ移動した空気は、換気扇によって、トイレルーム１００の外へ排出される。よって、トイレルーム１００内の空気を、効率良く換気することができる。さらに、第２羽板７０Ａによって、例えばケースカバー１０Ａの清掃時にケースカバー１０Ａの上方から流れた水が、排気口部２２Ａの内部に浸入することを抑制することができる。
【００４９】
図１０に示すように、第１羽板６８Ａの内部には、集塵フィルター４４Ａが設置されている。このことより、第１羽板６８Ａをケースカバー１０Ａから取り外すことで、集塵フィルター４４Ａを、脱臭装置１６Ａから取り外すことができる。したがって、容易に集塵フィルター４４Ａを衛生洗浄装置１Ａから取り外すことができる。よって、集塵フィルター４４Ａの清掃性が高い。言い換えれば、集塵フィルター４４Ａをより容易に清掃することができる。なお、集塵フィルター４４Ａは、第１羽板６８Ａと一体的に設けられていてもよい。この場合には、集塵フィルター４４Ａ及び第１羽板６８Ａをケースカバー１０Ａから同時に取り外すことができる。
【００５０】
図１１に示す衛生洗浄装置１Ｂのように、吸気口部２１Ｂを、大便器２の正面からみて、例えばケースカバー１０Ｂの左側に設け、排気口部２２Ｂを、大便器２の正面からみて、例えばケースカバー１０Ｂの右側に設けても良い。このことより、吸気口部２１Ｂが、排気口部２２Ｂから排出された空気を、再び吸引してしまうことを抑制することができる。したがって、トイレルーム１００内の空気に含まれる悪臭成分を、全体的に捕集又は分解することができる。
【００５１】
（洗浄水供給装置１２及び脱臭装置１６の使用例について）
図１２は、本発明の一実施形態に係る脱臭装置の脱臭動作におけるタイミングチャートである。
図１３は、本発明の一実施形態に係る脱臭装置の脱臭動作における他のタイミングチャートである。  
図１２及び図１３を用いて、洗浄水供給装置１２及び脱臭装置１６の使用例について説明する。
【００５２】
図１２に示すように、制御部１８は、例えば８日間、例えば４５分を１ユニットとし、１ユニット毎に、人体検知センサ１３による人体検知の有無を記憶する。制御部１８は、この８日間のうち、同じ時間帯で、且つ、例えば９０分間（２ユニット分）に、人体検知センサ１３による人体検知が行われたユニット数をカウントする。この９０分間に、カウントされたユニット数が、例えば３（所定頻度）以下であった場合、制御部１８は、「トイレルーム１００は非入室時間帯である」と判断する。また、この９０分間に、カウントされたユニット数が、例えば４以上であった場合、制御部１８は、「トイレルーム１００は入室時間帯である」と判断する。なお、所定頻度は、ユニット数「３」には限定されない。
【００５３】
時間帯が非入室時間帯から入室時間帯に切り替わる、例えば６７．５分前（第１所定時間）に、噴霧部５０は、脱臭フィルター４８に機能水を噴霧する（タイミングＴ１）。このとき、噴霧部５０は、脱臭フィルター４８の最大保水量（例えば約１０ｇ程度）よりも多い機能水（例えば約１００ｇ程度の機能水）を噴霧するため、脱臭フィルター４８に残存していた悪臭成分を洗い流し、ボウル部排出用口６２からボウル部２０へ排出する。噴霧部５０は、脱臭フィルター４８に機能水を噴霧すると同時に、制御部１８は、ファン４６を駆動させ、脱臭動作を開始させる（タイミングＴ１）。言い換えれば、非入室時間帯のうちで、入室時間帯に切り替わる例えば６７．５分前から入室時間帯に切り替わる時までの間の時間帯以外の時間帯では、制御部１８は、ファン４６の駆動を停止させる制御を実行する。このことより、使用者がトイレルーム１００に入室する前に、トイレルーム１００内に常在する臭気を取り除くことができる。したがって、使用者が、トイレルーム１００内に常在する臭気を吸うことで、不快感を感じることを抑制することができる。このとき、ファン４６は、第１風量で、トイレルーム１００内の空気を吸引する。
【００５４】
噴霧部５０が脱臭フィルター４８に機能水を噴霧すると、脱臭フィルター４８には、脱臭フィルター４８の最大保水量（例えば約１０ｇ程度）の機能水が保水される。その後、噴霧部５０は、機能水の噴霧を停止する（タイミングＴ２）。
【００５５】
入室時間帯において、人体検知センサ１３が使用者の入室を検知したとき、噴霧部５０は、例えば脱臭フィルター４８の最大保水量（例えば約１０ｇ程度）の機能水を、脱臭フィルター４８に噴霧する（タイミングＴ３）。また、人体検知センサ１３が使用者の入室を検知したとき、導光板１９が発光し、使用者に、噴霧部５０による機能水の噴霧が行われていることを、報知する（タイミングＴ３）。
【００５６】
人体検知センサ１３が使用者の入室を検知しなくなってから、例えば１０秒後、噴霧部５０は、機能水の噴霧を停止する（タイミングＴ４）。人体検知センサ１３が使用者の入室を検知しなくなってから、例えば１０秒後、導光板１９の発光動作が終了する（タイミングＴ４）。
【００５７】
時間帯が入室時間帯から非入室時間帯に切り替わると、制御部１８は、ファン４６の駆動を停止させ、脱臭動作を終了させる（タイミングＴ５）。このように、トイレルーム１００内を脱臭する必要がない時間帯にファン４６の駆動を停止させることで、噴霧部５０によって機能水が供給された脱臭フィルター４８を通過した空気が排出されることで生じる、トイレルーム１００内の湿度の上昇を、抑制することができる。また、トイレルーム１００内を脱臭する必要がない時間帯にファン４６を駆動を停止させることで、脱臭装置１６の省エネルギー化、及び、ファン４６の長寿命化を実現できる。
【００５８】
その後、再び、時間帯が非入室時間帯から入室時間帯に切り替わると、制御部１８は、ファン４６を駆動させ、脱臭動作を開始させる（タイミングＴ６）。このとき、ファン４６は、第１風量で、トイレルーム１００内の空気を吸引する。そして、再び、時間帯が入室時間帯から非入室時間帯に切り替わると、制御部１８は、ファン４６の駆動を停止させ、脱臭動作を終了させる（タイミングＴ７）。
【００５９】
非入室時間帯において、人体検知センサ１３が使用者の入室を検知したとき、制御部１８は、ファン４６を駆動させ、脱臭動作を開始させる（タイミングＴ８）。このことより、使用者が、トイレルーム１００内に常在する臭気を吸うことで、不快感を感じることをさらに抑制することができる。このとき、ファン４６は、第１風量より大きな風量の第２風量で、トイレルーム１００内の空気を吸引する。このことより、人体検知センサ１３がトイレルーム１００内の使用者を検知したときには、入室時間帯より所定時間前に行われる脱臭動作より、素早く脱臭動作を行うことができる。したがって、使用者が、トイレルーム１００内に常在する臭気を吸うことで、不快感を感じることをさらに抑制することができる。
【００６０】
また、人体検知センサ１３が使用者の入室を検知したとき、噴霧部５０は、例えば脱臭フィルター４８の最大保水量（例えば約１０ｇ程度）の機能水を、脱臭フィルター４８に噴霧する（タイミングＴ８）。人体検知センサ１３が使用者の入室を検知したとき、導光板１９が発光し、使用者に、噴霧部５０による機能水の噴霧が行われていることを、報知する（タイミングＴ８）。
【００６１】
人体検知センサ１３が使用者の入室を検知しなくなってから、例えば１０秒（第２所定時間）後、制御部１８は、ファン４６の駆動を停止させ、脱臭動作を終了させる（タイミングＴ９）。このことより、トイレルーム１００内を脱臭する必要がない時間帯にファン４６を駆動を停止させることで、噴霧部５０によって機能水が供給された脱臭フィルター４８を通過した空気が排出されることで生じる、トイレルーム１００内の湿度の上昇を、抑制することができる。また、トイレルーム１００内を脱臭する必要がない時間帯にファン４６を駆動を停止させることで、脱臭装置１６の省エネルギー化、及び、ファン４６の長寿命化を実現できる。
【００６２】
また、人体検知センサ１３が使用者の入室を検知しなくなってから、例えば１０秒後、噴霧部５０は、機能水の噴霧を停止する（タイミングＴ９）。人体検知センサ１３が使用者の入室を検知しなくなってから、例えば１０秒後、導光板１９の発光動作が終了する（タイミングＴ９）。
【００６３】
図１３は、本発明の一実施形態に係る脱臭装置の脱臭動作における、図１２とは異なるタイミングチャートである。
なお、図１３のタイミングチャートにおける、入室時間帯及び非入室時間帯の判断方法は、図１２のタイミングチャートを用いて説明した、入室時間帯及び非入室時間帯の判断方法と同じため、説明は省略する。
【００６４】
時間帯が非入室時間帯から入室時間帯に切り替わる、例えば６７．５分前に、噴霧部５０は、脱臭フィルター４８に機能水を噴霧する（タイミングｔ１）。このとき、噴霧部５０は、脱臭フィルター４８の最大保水量（例えば約１０ｇ程度）よりも多い機能水（例えば約１００ｇ程度の機能水）を噴霧するため、脱臭フィルター４８に残存していた悪臭成分を洗い流し、ボウル部排出用口６２からボウル部２０へ排出する。噴霧部５０は、脱臭フィルター４８に機能水を噴霧すると同時に、制御部１８は、ファン４６を駆動させ、脱臭動作を開始させる（タイミングｔ１）。言い換えれば、非入室時間帯のうちで、入室時間帯に切り替わる例えば６７．５分前から入室時間帯に切り替わる時までの間の時間帯以外の時間帯では、制御部１８は、ファン４６の駆動を停止させる制御を実行する。このとき、ファン４６は、第１風量で、トイレルーム１００内の空気を吸引する。
【００６５】
噴霧部５０が脱臭フィルター４８に機能水を噴霧すると、脱臭フィルター４８には、脱臭フィルター４８の最大保水量（例えば約１０ｇ程度）の機能水が保水される。その後、噴霧部５０は、機能水の噴霧を停止する（タイミングｔ２）。
【００６６】
時間帯が非入室時間帯から入室時間帯に切り替わると、制御部１８は、ファン４６の駆動を停止させ、脱臭動作を終了させる（タイミングｔ３）。
【００６７】
入室時間帯において、人体検知センサ１３が使用者の入室を検知したとき、制御部１８は、ファン４６を駆動させ、脱臭動作を開始させる（タイミングｔ４）。このとき、ファン４６は、第１風量より大きな風量の第２風量で、トイレルーム１００内の空気を吸引する。人体検知センサ１３が使用者の入室を検知したとき、噴霧部５０は、例えば脱臭フィルター４８の最大保水量（例えば約１０ｇ程度）の機能水を、脱臭フィルター４８に噴霧する（タイミングｔ４）。また、人体検知センサ１３が使用者の入室を検知したとき、導光板１９が発光し、使用者に、噴霧部５０による機能水の噴霧が行われていることを、報知する（タイミングｔ４）。
【００６８】
人体検知センサ１３が使用者の入室を検知しなくなってから、例えば１０秒後、制御部１８は、ファン４６の駆動を停止させ、脱臭動作を終了させる（タイミングｔ５）。人体検知センサ１３が使用者の入室を検知しなくなってから、例えば１０秒後、噴霧部５０は、機能水の噴霧を停止する（タイミングｔ５）。人体検知センサ１３が使用者の入室を検知しなくなってから、例えば１０秒後、導光板１９の発光動作が終了する（タイミングｔ５）。
【００６９】
再び、時間帯が非入室時間帯から入室時間帯に切り替わっても、制御部１８は、ファン４６を駆動させず、脱臭動作を開始させない（タイミングｔ６）。
【００７０】
その後、非入室時間帯において、人体検知センサ１３が使用者の入室を検知したとき、制御部１８は、ファン４６を駆動させ、脱臭動作を開始させる（タイミングｔ７）。このとき、ファン４６は、第１風量より大きな風量の第２風量で、トイレルーム１００内の空気を吸引する。人体検知センサ１３が使用者の入室を検知したとき、噴霧部５０は、例えば脱臭フィルター４８の最大保水量（例えば約１０ｇ程度）の機能水を、脱臭フィルター４８に噴霧する（タイミングｔ７）。また、人体検知センサ１３が使用者の入室を検知したとき、導光板１９が発光し、使用者に、噴霧部５０による機能水の噴霧が行われていることを、報知する（タイミングｔ７）。
【００７１】
人体検知センサ１３が使用者の入室を検知しなくなってから、例えば１０秒後、制御部１８は、ファン４６の駆動を停止させ、脱臭動作を終了させる（タイミングｔ８）。人体検知センサ１３が使用者の入室を検知しなくなってから、例えば１０秒後、噴霧部５０は、機能水の噴霧を停止する（タイミングｔ８）。人体検知センサ１３が使用者の入室を検知しなくなってから、例えば１０秒後、導光板１９の発光動作が終了する（タイミングｔ８）。
【００７２】
以上のことより、本実施形態の衛生洗浄装置１によれば、ファン４６によって吸引された空気に含まれた悪臭成分を、噴霧部５０によって機能水が供給された脱臭フィルター４８によって捕集・分解することができる。したがって、使用者が、トイレルーム１００内に常在する臭気を吸うことで、不快感を感じることを抑制することができる。
また、本実施形態の衛生洗浄装置１によれば、制御部１８は、使用者がトイレルーム１００に入室すると予測される時間帯より、例えば６７．５分前に、ファン４６を駆動させる動作を実行する。そのため、使用者がトイレルーム１００に入室する前に、トイレルーム１００内に常在する臭気を取り除くことができる。したがって、使用者が、トイレルーム１００内に常在する臭気を吸うことで、不快感を感じることを抑制することができる。
【００７３】
（変形例について）
以上、本発明の一実施形態について説明した。しかし、本発明はこれらの記述に限定されるものではない。
【００７４】
本発明の一実施形態において、トイレルーム１００の脱臭動作、及び、洗浄ノズル１４の胴体洗浄に、機能水を利用したが、それに限らず、水やアルコールなど、液体であれば良い。
【００７５】
本発明の一実施形態において、人体検知センサ１３は、トイレルーム１００に入室した入室者を検知するものであったが、それに限らず、使用者の便座への着座を検知するものであっても良い。しかし、トイレルーム１００の利用者は、必ずしも便座に着座するとは限らないため、人体検知センサ１３は、トイレルーム１００に入室した入室者を検知するものである方が、好ましい。
【００７６】
本発明の一実施形態及び他の実施形態において、吸気口部２１Ｂ及び排気口部２２Ｂが、ケースカバー１０に設けられる位置について、様々なバリエーションがあることを説明した。しかしながら、多くの場合、大便器２は、大便器２の正面からみて、トイレルーム１００の後ろ壁面に近接して設置されている。この場合において、排気口部２２Ｂが、大便器２の正面からみて、ケースカバー１０の後方面に設けられていると、排気口部２２Ｂ
から排出された、噴霧部５０によって機能水が供給された脱臭フィルター４８を通過した空気、即ち湿った空気が、トイレルーム１００の後ろ壁面に直接ぶつかってしまう恐れがある。湿った空気が、トイレルーム１００の後ろ壁面に直接ぶつかってしまうと、この後ろ壁面に、黴などの菌が繁殖してしまう恐れがある。このことより、排気口部２２Ｂは、大便器２の正面からみて、ケースカバー１０の側面に設けられるものであるのが、好ましい。
【００７７】
本発明の一実施形態において、脱臭フィルター４８は、ファン４６によって排出された空気が通過するものであったが、それに限らず、ファン４６によって吸引された空気が通過するものであっても良い。つまり、脱臭フィルター４８は、ファン４６の下流側に設けられることに限定されず、ファン４６の上流側に設けられてもよい。ただし、ファン４６は電子機器であることから、湿気を含んだ空気が送られることを防ぐ必要がある。このため、機能水が噴霧される脱臭フィルター４８は、ファン４６によって排出された空気が通過するもの、即ちファン４６より下流側に位置するものであることが好ましい。
【００７８】
本発明の一実施形態において、脱臭動作は、時間帯が非入室時間帯から入室時間帯に切り替わる、例えば６７．５分前に、自動で行われるものであったが、それに限らない。例えば、脱臭動作は、夜中など、決まった時間に、定期的に行われるものであっても良い。また、脱臭動作は、一定時間、衛生洗浄装置１が使用されていなかった際に、行われるものであっても良い。さらに、脱臭動作は、自動で行われるものに限らず、スイッチ操作などによって、手動で行われるものであっても良い。
【００７９】
本発明の一実施形態において、ファン４６による脱臭動作は、脱臭フィルター４８が乾燥するまで行われるものであっても良い。なお、本発明の一実施形態において、水を吸収、即ち保水した脱臭フィルター４８の重さが、保水前の脱臭フィルター４８の重さに戻ったとき、脱臭フィルター４８は「乾燥」したと定義する。このことより、脱臭フィルター４８は、脱臭動作が行われていないときには、常に乾燥することになり、脱臭フィルター４８内に、黴などの菌が繁殖することを抑制できる。この脱臭動作による脱臭フィルター４８の乾燥は、例えば１日１回、決まった時間に行われるものであっても良い。
【００８０】
本発明の一実施形態において、入室時間帯又は非入室時間帯に、人体検知センサ１３が使用者の入室を検知しなくなってから、例えば１０秒後、制御部１８は、脱臭動作の終了、噴霧部５０による機能水の噴霧の終了、及び、導光板１９の発光動作の終了、を行うものであったが、本発明はそれに限らない。例えば、人体検知センサ１３が使用者の入室を検知しなくなったときに、制御部１８は、脱臭動作の終了を行うものであっても良い。このことより、トイレルーム１００内を脱臭する必要がない時間帯にファン４６を駆動を停止させることで、噴霧部５０によって機能水が供給された脱臭フィルター４８を通過した空気が排出されることで生じる、トイレルーム１００内の湿度の上昇を、抑制することができる。また、トイレルーム１００内を脱臭する必要がない時間帯にファン４６を駆動を停止させることで、脱臭装置１６の省エネルギー化、及び、ファン４６の高寿命化を実現できる。
同様にして、人体検知センサ１３が使用者の入室を検知しなくなったときに、制御部１８は、噴霧部５０による機能水の噴霧の終了、及び、導光板１９の発光動作の終了、を行うものであっても良い。
【００８１】
前述の実施の形態に関して、当業者が適宜設計変更を加えたものも、本発明の特徴を備えている限り、本発明の範囲に包含される。例えば、衛生洗浄装置１などが備える各要素の形状、寸法、材質、配置などや衛生洗浄装置１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８２】
１、１Ａ、１Ｂ 衛生洗浄装置、  ２ 大便器、  ４ 便蓋、  ６ 機能部、  ８ ケースプレート、  １０、１０Ａ、１０Ｂ ケースカバー、  １２ 洗浄水供給装置、  １３ 人体検知センサ、  １４ 洗浄ノズル、  １５、４１ 吐水部（第２吐水部）、  １５ａ 洗浄吐水孔、  １５ｂ ソフト吐水孔、  １５ｃ ビデ洗浄吐水孔、  １５ｄ ワイドビデ洗浄吐水孔、  １６、１６Ａ 脱臭装置、  １８ 制御部、  １９ 導光板、  ２０ ボウル部、  ２１、２１Ａ、２１Ｂ 吸気口部、  ２２、２２Ａ、２２Ｂ 排気口部、  ２４ 流路開閉弁、  ２６ 熱交換器、  ２８ 電解槽、  ３０ バキュームブレーカー、  ３２ 第１流路、  ３４ 第２流路、  ３６ 電磁ポンプ、  ３８ 流調・流路切替弁、  ４０ ノズル洗浄室（胴体洗浄部）、  ４２、４２Ａ 吸気口、  ４４、４４Ａ 集塵フィルター、  ４６ ファン（送風部）、  ４８ 脱臭フィルター、  ５０ 噴霧部（第１吐水部）、  ５２ 水受け部、  ５４、５４Ａ 排気口、  ５６ 排水口、  ５８ リブ、  ６０ 排出流路、  ６２ ボウル部排出用孔、  ６４ 立壁部、  ６８Ａ 第１羽板、  ７０Ａ 第２羽板、  １００ トイレルーム
【図１】
0005904423.tif 000002
【図２】
0005904423.tif 000003
【図３】
0005904423.tif 000004
【図４】
0005904423.tif 000005
【図５】
0005904423.tif 000006
【図６】
0005904423.tif 000007
【図７】
0005904423.tif 000008
【図８】
0005904423.tif 000009
【図９】
0005904423.tif 000010
【図１０】
0005904423.tif 000011
【図１１】
0005904423.tif 000012
【図１２】
0005904423.tif 000013
【図１３】
0005904423.tif 000014